(57)【要約】【課題】吹出口が自身の下方側において最も近接する商品載置棚の前端部よりも後方側に配設される場合でも、商品載置棚に載置された商品を所望の温度に良好に調整できるショーケースを提供すること。【解決手段】ケース本体１０の内部の収納室１１に上下方向に沿って複数段設けられた商品載置棚３１〜３４と、吸込口２２及び吹出口２３を通じて収納室１１の内部と外部との間で空気を循環させる空気循環手段２０と、空気循環手段２０により循環させられる空気を所定の温度に調整する蒸発器４０とを備えたショーケースにおいて、吹出口２３は、第１商品載置棚３１の前端部よりも後方側に配設され、第１商品載置棚３１の前端部より離隔した状態で上下方向に延在する態様で配設され、かつ第１商品載置棚３１の上面よりも上方側となる部位において上方に向かうに連れて漸次後方に延在する態様で傾斜する第２傾斜部５４を有するガイド部材５０を備えている。【選択図】図２
2015216972.tif 000002
【特許請求の範囲】
【請求項１】
前面に開口が形成されたケース本体と、
前記ケース本体の内部において前記開口を臨む態様で画成された収納室に上下方向に沿って複数段設けられ、かつ収納対象となる商品を載置する商品載置棚と、
吸込口を通じて前記収納室の空気を吸い込み、かつ吹出口を通じて該収納室に空気を吹き出す態様で前記収納室の内部と外部との間で空気を循環させる空気循環手段と、
前記空気循環手段により循環させられる空気を所定の温度に調整する温度調整手段と
を備え、前記商品載置棚に載置された商品を所望の温度状態に保持するショーケースにおいて、
前記吹出口は、前記商品載置棚のうち該吹出口の下方側で自身に最も近接する第１商品載置棚の前端部よりも後方側に配設されるものであり、
前記第１商品載置棚の前端部より離隔した状態で上下方向に延在する態様で配設され、かつ前記第１商品載置棚の上面よりも上方側となる部位において上方に向かうに連れて漸次後方に延在する態様で傾斜する上部傾斜部を有するガイド部材を備えたことを特徴とするショーケース。
【請求項２】
前記ガイド部材は、前記上部傾斜部よりも下方側となる部位において下方に向かうに連れて漸次後方に延在する態様で傾斜する下部傾斜部を有することを特徴とする請求項１に記載のショーケース。
【請求項３】
前記ガイド部材は、上下方向の中央部分が前方に突となる態様で縦断面形状が円弧状をなすことを特徴とする請求項１又は請求項２に記載のショーケース。
【発明の詳細な説明】
【技術分野】
【０００１】
本発明は、ショーケースに関し、より詳細には、収納対象となる商品を所望の温度状態に保持するようにしたショーケースに関するものである。
【背景技術】
【０００２】
従来、収納対象となる商品を所望の温度状態に保持するショーケースとして、次のようなものが知られている。前面に開口が形成されたケース本体の内部の収納室に、複数の商品載置棚が上下方向に沿って複数段設けられており、それぞれの商品載置棚に商品が載置されている。また、ケース本体内であって収納室外となる個所には、吸込口を通じて吸い込んだ収納室内の空気の通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースにおいては、各商品載置棚に該商品載置棚の前端部から離隔する状態で上下方向に延在するガイド部材が取り付けられ、吹出口から吹き出された空気が商品載置棚の前端部とガイド部材との間を通過するようにしてエアカーテンを形成し、冷気漏れの低減化を図るようにしていた（例えば、特許文献１参照）。
【先行技術文献】
【特許文献】
【０００４】
【特許文献１】特開２０１０−２０７５６４号公報
【発明の概要】
【発明が解決しようとする課題】
【０００５】
ところで、上述した特許文献１に提案されているショーケースのガイド部材は、吹出口が最上段の商品載置棚の前端部よりも前方側に位置することを考慮して上下方向に延在する態様で取り付けられていた。そのため、吹出口が最上段の商品載置棚の前端部よりも後方側に位置する場合、吹出口から吹き出された空気がガイド部材に衝突して分散してしまう結果、空気の流れが乱れてしまい、冷気漏れの低減化を図ることが困難であった。
【０００６】
本発明は、上記実情に鑑みて、吹出口が自身の下方側において最も近接する商品載置棚の前端部よりも後方側に配設される場合でも、商品載置棚に載置された商品を所望の温度に良好に調整できるショーケースを提供することを目的とする。
【課題を解決するための手段】
【０００７】
上記目的を達成するために、本発明に係るショーケースは、前面に開口が形成されたケース本体と、前記ケース本体の内部において前記開口を臨む態様で画成された収納室に上下方向に沿って複数段設けられ、かつ収納対象となる商品を載置する商品載置棚と、吸込口を通じて前記収納室の空気を吸い込み、かつ吹出口を通じて該収納室に空気を吹き出す態様で前記収納室の内部と外部との間で空気を循環させる空気循環手段と、前記空気循環手段により循環させられる空気を所定の温度に調整する温度調整手段とを備え、前記商品載置棚に載置された商品を所望の温度状態に保持するショーケースにおいて、前記吹出口は、前記商品載置棚のうち該吹出口の下方側で自身に最も近接する第１商品載置棚の前端部よりも後方側に配設されるものであり、前記第１商品載置棚の前端部より離隔した状態で上下方向に延在する態様で配設され、かつ前記第１商品載置棚の上面よりも上方側となる部位において上方に向かうに連れて漸次後方に延在する態様で傾斜する上部傾斜部を有するガイド部材を備えたことを特徴とする。
【０００８】
また本発明は、上記ショーケースにおいて、前記ガイド部材は、前記上部傾斜部よりも下方側となる部位において下方に向かうに連れて漸次後方に延在する態様で傾斜する下部傾斜部を有することを特徴とする。
【０００９】
また本発明は、上記ショーケースにおいて、前記ガイド部材は、上下方向の中央部分が前方に突となる態様で縦断面形状が円弧状をなすことを特徴とする。
【発明の効果】
【００１０】
本発明によれば、第１商品載置棚の前端部より離隔した状態で上下方向に延在する態様で配設されたガイド部材の上部傾斜部が、第１商品載置棚の上面よりも上方側となる部位において上方に向かうに連れて漸次後方に延在する態様で傾斜するので、吹出口が第１商品載置棚の前端部よりも後方側に配設されていても、該吹出口から吹き出された空気の大部分を上部傾斜部に当接させて第１商品載置棚とガイド部材との間を通過させて吸込口に誘導することでエアカーテンを形成することができ、商品載置棚に載置された商品を所望の温度に良好に調整することができるという効果を奏する。
【図面の簡単な説明】
【００１１】
【図１】図１は、本発明の実施の形態であるショーケースの内部構造を模式的に示す断面側面図である。
【図２】図２は、図１に示した最上段の商品載置棚の要部を拡大して示す拡大断面側面図である。
【図３】図３は、本発明の実施の形態であるショーケースの変形例の内部構造を模式的に示す断面側面図である。
【図４】図４は、本発明の実施の形態であるショーケースの他の変形例の内部構造を模式的に示す断面側面図である。
【発明を実施するための形態】
【００１２】
以下に添付図面を参照して、本発明に係るショーケースの好適な実施の形態について詳細に説明する。
【００１３】
図１は、本発明の実施の形態であるショーケースの内部構造を模式的に示す断面側面図である。ここで例示するショーケースは、ケース本体１０を備えている。
【００１４】
ケース本体１０は、前面に開口（以下、前面開口ともいう）１０ａが形成された断熱筐体であり、その内部には収納室１１が画成されているとともに、空気循環手段２０が設けてある。
【００１５】
収納室１１は、上記前面開口１０ａを臨む態様で画成された室であり、複数（図示の例では４つ）の商品載置棚３１〜３４が上下方向に沿って複数段並べて配設されている。商品載置棚３１〜３４は、それぞれ商品を載置するためのものであり、その構成については後述する。かかる収納室１１の底部にはデッキパン３５が配設されている。このデッキパン３５は、上記商品載置棚３１〜３４と同様に、商品を載置するためのものである。
【００１６】
空気循環手段２０は、空気通路２１と循環ファンＦとを備えて構成されている。空気通路２１は、吸込口２２から吹出口２３に至る空気の通路である。ここに吸込口２２は、収納室１１の内部の空気を吸い込むための開口であり、収納室１１の左右方向に沿って延設されている。この吸込口２２は、収納室１１の下側前方縁部、すなわちケース本体１０の前面開口１０ａ近傍の下部に配設されている。
【００１７】
吹出口２３は、図示の例では２つ設けてあり、収納室１１の内部に空気を吹き出すための開口である。これら吹出口２３は、それぞれが収納室１１の左右方向に延設してあって、収納室１１の上側前方縁部、すなわちケース本体１０の前面開口１０ａ近傍の上部に前後に並設されている。また、吹出口２３は、最上段の商品載置棚（以下、第１商品載置棚ともいう）３１の前端部よりも後方側に配設されている。
【００１８】
このような空気通路２１は、収納室１１外であってその下方にある下方ダクト２１ａと、収納室１１外であってその背面側にある背面ダクト２１ｂと、収納室１１外であってその上方にある上方ダクト２１ｃとを互いに連通した態様で構成されている。また、空気通路２１は、下方ダクト２１ａの途中から２つに分かれており、外方通路２１１が一方の吹出口２３（以下、前側吹出口２３ａともいう）に通じ、内方通路２１２が他方の吹出口２３（以下、後側吹出口２３ｂともいう）に通じている。
【００１９】
循環ファンＦは、空気を循環させるものであり、下方ダクト２１ａの所定部位に配設されている。本実施の形態においては、循環ファンＦは下方ダクト２１ａの所定部位に配設されているが、本発明では、循環ファンＦの配設位置は特に限定されるものではなく、後述する循環ファンＦの機能を発揮することができる個所であればどこに配設しても構わない。
【００２０】
このような空気循環手段２０においては、循環ファンＦが駆動することにより吸込口２２を通じて収納室１１の内部にある空気（内部空気）を吸い込み、吸い込んだ空気が空気通路２１を通過する態様で吹出口２３まで送出し、吹出口２３を通じて送出した空気を収納室１１の内部に吹き出すことにより、収納室１１の内部と外部との間で空気を循環させるものである。
【００２１】
上記空気通路２１の内方通路２１２には、蒸発器（温度調整手段）４０が設けてある。蒸発器４０は、図示せぬ圧縮機、凝縮器及び膨張機構とともに冷媒を循環させる冷媒循環手段を構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２２】
蒸発器４０は、循環ファンＦが駆動することにより内方通路２１２を下方から上方に向けて通過する空気と、膨張機構で断熱膨張させた冷媒とを熱交換させるもの、より詳細には、冷媒を蒸発させることにより内方通路２１２を通過する空気を冷却するものである。この蒸発器４０で蒸発した冷媒は、再び圧縮機に戻り圧縮されることになる。
【００２３】
図２は、図１に示した最上段の商品載置棚の要部を拡大して示す拡大断面側面図である。この図２に示すように、第１商品載置棚３１の前端部には、ガイド部材５０が取り付けられている。ガイド部材５０は、第１商品載置棚３１の左右方向全域に亘って延在する長尺状の板状部材である。このガイド部材５０は、第１商品載置棚３１の前端部の左右両端部分より前方に延在する左右一対のアーム部３６に左右両端部が連結されることで取り付けられている。つまり、ガイド部材５０は、第１商品載置棚３１の前端部より離隔した状態で配設されており、該第１商品載置棚３１の前端部との間にスリットＳを形成している。
【００２４】
このようなガイド部材５０は、基部５１と、第１傾斜部（下部傾斜部）５２と、上延部５３と、第２傾斜部（上部傾斜部）５４とが一体的に連結されて構成されている。
【００２５】
基部５１は、上下方向に沿って延在する部位である。この基部５１は、左右両端部が上記アーム部３６の前端部に連結されており、第１商品載置棚３１の前端部との間で上記スリットＳを形成している。この基部５１の上端縁部は、第１商品載置棚３１の上面と高さレベルが同等、若しくは僅かに高いものである。
【００２６】
第１傾斜部５２は、基部５１の上端縁部より上方に向かうに連れて漸次前方に延在する態様で傾斜する部位である。上延部５３は、第１傾斜部５２の上端縁部より上方に向けて延在する部位である。第２傾斜部５４は、上延部５３の上端縁部より上方に向かうに連れて漸次後方に延在する態様で傾斜する部位である。この第２傾斜部５４の延在端部は、基部５１の直上域に位置している。
【００２７】
かかるガイド部材５０においては、第１傾斜部５２は第２傾斜部５４よりも下方側に位置しており、下方に向かうに連れて漸次後方に延在する態様で傾斜している。
【００２８】
以上のような構成によるショーケースにおいては、循環ファンＦ及び圧縮機が駆動することにより、収納室１１の内部の空気は、吸込口２２を通じて吸い込まれ、下方ダクト２１ａを通過し、その途中から外方通路２１１及び内方通路２１２のいずれかに進入する。
【００２９】
外方通路２１１に進入した空気は、背面ダクト２１ｂ及び上方ダクト２１ｃを通じて前側吹出口２３ａに至り、前側吹出口２３ａから吹き出される。一方、下方ダクト２１ａの途中から内方通路２１２に進入した空気は、蒸発器４０を通過して冷却され、冷気となって背面ダクト２１ｂ及び上方ダクト２１ｃを通過し、後側吹出口２３ｂより吹き出される。
【００３０】
本実施の形態であるショーケースにおいては、第１商品載置棚３１に該第１商品載置棚３１の前端部より離隔する態様でガイド部材５０が配設され、かつガイド部材５０に第２傾斜部５４が形成されているので、前側吹出口２３ａ及び後側吹出口２３ｂが第１商品載置棚３１の前端部よりも後方側に配設されていても、これら前側吹出口２３ａ及び後側吹出口２３ｂから吹き出された空気は、一部が第２傾斜部５４に当接した後にスリットＳを通過するよう流れるとともに、一部がコアンダ効果によりガイド部材５０の前面に沿って流れることで吸込口２２に向かって誘導され、エアカーテンを形成する。また、ガイド部材５０が第１商品載置棚３１の前端部との間にスリットＳを形成するので、吹出口２３（前側吹出口２３ａ及び後側吹出口２３ｂ）から吹き出される空気の大部分が該スリットＳを通過することで整流効果を向上させることができる。
【００３１】
このようにして形成されるエアカーテンにより、前面開口１０ａからの外気の進入を遮断するとともに、収納室１１の内部にある商品、すなわち商品載置棚３１〜３４及びデッキパン３５に載置された商品を冷却して所望の温度に保持することができる。
【００３２】
このように本実施の形態であるショーケースによれば、第１商品載置棚３１の前端部より離隔した状態で上下方向に延在する態様で配設されたガイド部材５０の第２傾斜部５４が、第１商品載置棚３１の上面よりも上方側において上方に向かうに連れて漸次後方に延在する態様で傾斜しているので、吹出口２３（前側吹出口２３ａ及び後側吹出口２３ｂ）が第１商品載置棚３１の前端部よりも後方側に配設されていても、該吹出口２３から吹き出された空気の大部分を第２傾斜部５４に当接させて第１商品載置棚３１とガイド部材５０との間を通過させて吸込口２２に誘導することでエアカーテンを形成することができ、商品載置棚３１〜３４に載置された商品を所望の温度に良好に調整することができる。
【００３３】
また、上記ショーケースによれば、ガイド部材５０における第１傾斜部５２が、第２傾斜部５４よりも下方側に位置しており、下方に向かうに連れて漸次後方に延在する態様で傾斜しているので、図２にも示すように、第１商品載置棚３１の直下の商品載置棚（最上段から２段目の商品載置棚）３２に載置された商品の視認性を向上させることができるとともに、該商品載置棚３２に載置された商品を取りやすくすることができる。
【００３４】
以上、本発明の好適な実施の形態について説明したが、本発明はこれに限定されるものではなく、種々の変更を行うことができる。
【００３５】
上述した実施の形態では、ガイド部材５０が第１傾斜部５２及び第２傾斜部５４を有するものであったが、本発明においては、ガイド部材は次のような構成であってもよい。図３及び図４は、それぞれ本発明の実施の形態であるショーケースの変形例を模式的に示す断面側面図である。尚、図３及び図４において、上述した実施の形態であるショーケースと同一の構成を有するものには同一の符号を付している。
【００３６】
図３に示すように、上下方向に沿って延在する基部６１と、基部６１の上端縁部より上方に向かうに連れて漸次後方に延在する態様で傾斜する上端部６２とを有するガイド部材６０であってもよい。このような構成であっても、ガイド部材６０の上端部６２が、第１商品載置棚３１の上面よりも上方側において上方に向かうに連れて漸次後方に延在する態様で傾斜しているので、吹出口２３（前側吹出口２３ａ及び後側吹出口２３ｂ）が第１商品載置棚３１の前端部よりも後方側に配設されていても、該吹出口２３から吹き出された空気の大部分を上端部６２に当接させて第１商品載置棚３１とガイド部材６０との間を通過させて吸込口２２に誘導することでエアカーテンを形成することができ、商品載置棚３１〜３４に載置された商品を所望の温度に良好に調整することができる。
【００３７】
また図４に示すように、上下方向の中央部分が前方に突となる態様で縦断面形状が円弧状をなすガイド部材７０であってもよい。このような構成であっても、縦断面形状が円弧状をなすことで、吹出口２３（前側吹出口２３ａ及び後側吹出口２３ｂ）が第１商品載置棚３１の前端部よりも後方側に配設されていても、該吹出口２３から吹き出された空気の大部分を第１商品載置棚３１とガイド部材７０との間を通過させて吸込口２２に誘導することでエアカーテンを形成することができ、商品載置棚３１〜３４に載置された商品を所望の温度に良好に調整することができる。
【００３８】
上述した実施の形態では、吹出口２３は、収納室１１の上側前方縁部に設けられていたが、本発明においては、吹出口は、第１商品載置棚の前端部の後方側であればその配設個所は限定されるものではなく、収納室を画成する背面パネルに設けられていてもよい。この場合でも、上部傾斜部により吹出口から吹き出された空気をコアンダ効果等で吸込口に誘導させることができる。
【００３９】
上述した実施の形態では、第１商品載置棚は最上段の商品載置棚３１として説明したが、本発明においては、第１商品載置棚は最上段の商品載置棚だけに限られず、吹出口の下方側で該吹出口に最も近接する商品載置棚であればよい。
【００４０】
上述した実施の形態では、第１商品載置棚３１に取り付けたガイド部材５０は、吹出口２３から吹き出された空気のガイドとしての役割を有するものとして説明したが、本発明においては、ガイド部材は、上記ガイドとしての役割を果たすだけでなく、タグモールとして利用されてもよい。
【００４１】
上述した実施の形態では、空気通路２１は、外方通路２１１と内方通路２１２とを有していたが、本発明においては、空気通路は１つであってもよく、これにより吹出口も１つであってもよい。
【符号の説明】
【００４２】
１０  ケース本体
１０ａ  前面開口
１１  収納室
２０  空気循環手段
２１  空気通路
２１ａ  下方ダクト
２１ｂ  背面ダクト
２１ｃ  上方ダクト
２１１  外方通路
２１２  内方通路
２２  吸込口
２３  吹出口
２３ａ  前側吹出口
２３ｂ  後側吹出口
３１  第１商品載置棚
４０  蒸発器
５０  ガイド部材
５１  基部
５２  第１傾斜部
５３  上延部
５４  第２傾斜部
Ｆ  循環ファン
【図１】
2015216972.tif 000003
【図２】
2015216972.tif 000004
【図３】
2015216972.tif 000005
【図４】
2015216972.tif 000006